(57)【要約】【課題】ユーザが意識的に電気機器を操作しなくても、ユーザが所望する快適性を維持しつつエネルギの消費量を抑制する。【解決手段】カレンダスケジュールデータ１０６は、予定の内容と、予定が実施される始期及び終期とを含む。連動制御規則データ１０７は、予定の内容に応じた制御対象機器と、制御対象機器に対する制御内容と、予定の始期又は終期を基準とする相対的な時間で表されるタイミングとを含む。機器スケジュール設定部１１６は、予定の内容で関連付けられるカレンダスケジュールデータ１０６と、連動制御規則データ１０７とに基づいて、予定に応じた、制御対象機器、制御内容、及び制御時刻を設定する。機器制御部１１８は、機器スケジュール設定部１１６による設定に基づいて、制御対象機器を動作させる。【選択図】図２
2014217047.tif 000002
【特許請求の範囲】
【請求項１】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備え、
前記予定の内容は、予定のタイトルを示す情報又は予定の種類を示す情報を含む
ことを特徴とする電気機器管理装置。
【請求項２】
前記カレンダスケジュールデータが示す予定を含むカレンダを表示する表示手段をさらに備え、
前記連動制御規則データは、前記予定の内容に応じた一括設定の種類をさらに含み、
前記表示手段は、前記機器スケジュール設定手段により設定された前記制御対象機器及び前記制御内容が属する前記一括設定の種類を前記カレンダにさらに含めて表示する
ことを特徴とする請求項１に記載の電気機器管理装置。
【請求項３】
予定の内容と、前記予定が実施される時期を示す情報とを含むカレンダスケジュールデータを取得するカレンダスケジュール取得手段と、
前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データが格納される連動制御規則記憶手段と、
前記予定の内容をキーとして前記カレンダスケジュールデータと前記連動定義データとを関連付けるとともに前記一括設定の種類をキーとして前記連動定義データと前記一括設定定義データとを関連付け、前記予定の内容に応じた前記制御対象機器及び前記制御内容を設定し、前記カレンダスケジュールデータに含まれる前記時期を示す情報と前記連動定義データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備える
ことを特徴とする電気機器管理装置。
【請求項４】
前記カレンダスケジュールデータが示す予定と、前記機器スケジュール設定手段により設定された前記制御対象機器及び前記制御内容が属する前記一括設定の種類とを含むカレンダを表示する表示手段をさらに備える
ことを特徴とする請求項３に記載の電気機器管理装置。
【請求項５】
前記機器スケジュール設定手段により設定された前記制御対象機器に前記制御内容の制御をする場合に、前記制御時刻より前に通知する通知手段をさらに備える
ことを特徴とする請求項１から４のいずれか１項に記載の電気機器管理装置。
【請求項６】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段と、
前記機器スケジュール設定手段により設定された前記制御対象機器に前記制御内容の制御をする場合に、予め定められたタイミングで通知する通知手段とを備える
ことを特徴とする電気機器管理装置。
【請求項７】
前記カレンダスケジュールデータが示す予定を含むカレンダを表示する表示手段をさらに備え、
前記連動制御規則データは、前記予定の内容に応じた一括設定の種類をさらに含み、
前記表示手段は、前記機器スケジュール設定手段により設定された前記制御対象機器及び前記制御内容が属する前記一括設定の種類を前記カレンダにさらに含めて表示する
ことを特徴とする請求項６に記載の電気機器管理装置。
【請求項８】
前記通知手段は、前記制御時刻より前に通知する
ことを特徴とする請求項６又は７に記載の電気機器管理装置。
【請求項９】
前記機器制御手段は、管理対象領域に設置された前記制御対象機器との間で通信ネットワークを介して通信することによって、前記設定された制御内容に従って、前記設定された制御対象機器を前記設定された制御時刻に動作させる
ことを特徴とする請求項１から８のいずれか１項に記載の電気機器管理装置。
【請求項１０】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備え、
前記予定の内容は、予定のタイトルを示す情報又は予定の種類を示す情報を含む
ことを特徴とする電気機器。
【請求項１１】
予定の内容と、前記予定が実施される時期を示す情報とを含むカレンダスケジュールデータを取得するカレンダスケジュール取得手段と、
前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データが格納される連動制御規則記憶手段と、
前記予定の内容をキーとして前記カレンダスケジュールデータと前記連動定義データとを関連付けるとともに前記一括設定の種類をキーとして前記連動定義データと前記一括設定定義データとを関連付け、前記予定の内容に応じた前記制御対象機器及び前記制御内容を設定し、前記カレンダスケジュールデータに含まれる前記時期を示す情報と前記連動定義データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備える
ことを特徴とする電気機器。
【請求項１２】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段と、
前記機器スケジュール設定手段により設定された前記制御対象機器に前記制御内容の制御をする場合に、予め定められたタイミングで通知する通知手段とを備える
ことを特徴とする電気機器。
【請求項１３】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備え、
前記予定の内容は、予定のタイトルを示す情報又は予定の種類を示す情報を含む
ことを特徴とする端末装置。
【請求項１４】
予定の内容と、前記予定が実施される時期を示す情報とを含むカレンダスケジュールデータを取得するカレンダスケジュール取得手段と、
前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データが格納される連動制御規則記憶手段と、
前記予定の内容をキーとして前記カレンダスケジュールデータと前記連動定義データとを関連付けるとともに前記一括設定の種類をキーとして前記連動定義データと前記一括設定定義データとを関連付け、前記予定の内容に応じた前記制御対象機器及び前記制御内容を設定し、前記カレンダスケジュールデータに含まれる前記時期を示す情報と前記連動定義データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを備える
ことを特徴とする端末装置。
【請求項１５】
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段と、
前記機器スケジュール設定手段により設定された前記制御対象機器に前記制御内容の制御をする場合に、予め定められたタイミングで通知する通知手段とを備える
ことを特徴とする端末装置。
【請求項１６】
予定の内容と、前記予定が実施される時期を示す情報とを含むカレンダスケジュールデータを取得し、
前記予定の内容に応じた制御対象機器と、前記制御対象機器に対する制御内容と、前記制御対象機器に対する制御が実行されるタイミングとを含む連動制御規則データを参照し、
前記予定の内容をキーとして前記カレンダスケジュールデータと前記連動制御規則データとを関連付け、
前記予定の内容に応じた前記制御対象機器及び前記制御内容を設定し、
前記カレンダスケジュールデータに含まれる前記時期を示す情報と前記連動制御規則データに含まれる前記タイミングとに応じて制御時刻を設定し、
前記設定された制御内容に従って、前記設定された制御対象機器を前記設定された制御時刻に動作させ、
前記予定の内容は、予定のタイトルを示す情報又は予定の種類を示す情報を含む
ことを特徴とする電気機器管理方法。
【請求項１７】
予定の内容と、前記予定が実施される時期を示す情報とを含むカレンダスケジュールデータを取得し、
前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データを参照し、
前記予定の内容をキーとして前記カレンダスケジュールデータと前記連動定義データとを関連付けるとともに前記一括設定の種類をキーとして前記連動定義データと前記一括設定定義データとを関連付け、
前記予定の内容に応じた前記制御対象機器及び前記制御内容を設定し、
前記カレンダスケジュールデータに含まれる前記時期を示す情報と前記連動定義データに含まれる前記タイミングとに応じて制御時刻を設定し、
前記機器スケジュール設定手段により設定された制御内容に従って、前記設定された制御対象機器を前記設定された制御時刻に動作させる
ことを特徴とする電気機器管理方法。
【請求項１８】
予定の内容と、前記予定が実施される時期を示す情報とを含むカレンダスケジュールデータを取得し、
前記予定の内容に応じた制御対象機器と、前記制御対象機器に対する制御内容と、前記制御対象機器に対する制御が実行されるタイミングとを含む連動制御規則データを参照し、
前記予定の内容をキーとして前記カレンダスケジュールデータと前記連動制御規則データとを関連付け、
前記予定の内容に応じた前記制御対象機器及び前記制御内容を設定し、
前記カレンダスケジュールデータに含まれる前記時期を示す情報と前記連動制御規則データに含まれる前記タイミングとに応じて制御時刻を設定し、
前記設定された制御内容に従って、前記設定された制御対象機器を前記設定された制御時刻に動作させ、
前記設定された制御対象機器に前記制御内容の制御をする場合に、予め定められたタイミングで通知する
ことを特徴とする電気機器管理方法。
【請求項１９】
コンピュータに、
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを実現させ、
前記予定の内容は、予定のタイトルを示す情報又は予定の種類を示す情報を含むことを実現させるためのプログラム。
【請求項２０】
コンピュータに、
予定の内容と、前記予定が実施される時期を示す情報とを含むカレンダスケジュールデータを取得するカレンダスケジュール取得手段と、
前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データが格納される連動制御規則記憶手段と、
前記予定の内容をキーとして前記カレンダスケジュールデータと前記連動定義データとを関連付けるとともに前記一括設定の種類をキーとして前記連動定義データと前記一括設定定義データとを関連付け、前記予定の内容に応じた前記制御対象機器及び前記制御内容を設定し、前記カレンダスケジュールデータに含まれる前記時期を示す情報と前記連動定義データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段とを実現させるためのプログラム。
【請求項２１】
コンピュータに、
予定の内容と、前記予定が実施される時期を示す情報とを含むカレンダスケジュールデータを取得するカレンダスケジュール取得手段と、
前記予定の内容に応じた制御対象機器と、前記制御対象機器に対する制御内容と、前記制御対象機器に対する制御が実行されるタイミングとを含む連動制御規則データが格納される連動制御規則記憶手段と、
前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、
前記機器スケジュール設定手段により設定された制御内容に従って、前記設定された制御対象機器を前記設定された制御時刻に動作させる機器制御手段と、
前記機器スケジュール設定手段により設定された前記制御対象機器に前記制御内容の制御をする場合に、予め定められたタイミングで通知する通知手段とを実現させるためのプログラム。
【発明の詳細な説明】
【技術分野】
【０００１】
本発明は、電気機器管理装置、電気機器、端末装置、電気機器管理方法及びプログラムに関する。
【背景技術】
【０００２】
住宅における消費電力の抑制などを目的とするシステムとしてＨＥＭＳ(Home Energy Management System)がある。一般的に、ＨＥＭＳは、住宅における電力の消費量データなどを収集保持し、住宅に設置された電気機器を管理する電気機器管理装置を備える。例えば特許文献１に記載の技術を電気機器管理装置に適用すれば、電力の消費実績値が消費目標量以下であるか否かの評価結果をカレンダに表示して、ユーザの省エネルギへの意識付けを行うことができる。
【先行技術文献】
【特許文献】
【０００３】
【特許文献１】特許第４６８４１９５号公報
【発明の概要】
【発明が解決しようとする課題】
【０００４】
しかしながら、省エネルギを図りつつ、ユーザの快適性を維持するには、例えば帰宅の予定時刻に合わせて電気機器にタイマ設定するなど、ユーザが電気機器を操作する手間が掛かる。また、ユーザが省エネルギを意識していても、例えば外出時の電灯、空調機の消し忘れなど、電気機器の操作を忘れることはあり得る。
【０００５】
本発明は、上述の事情に鑑みてなされたもので、ユーザが意識的に電気機器を操作しなくても、ユーザが所望する快適性を維持しつつエネルギの消費量を抑制することが可能な機器管理装置などを提供することを目的とする。
【課題を解決するための手段】
【０００６】
上記目的を達成するため、本発明の第１の観点に係る電気機器管理装置は、予定の内容と、前記予定が実施される時期を示す情報とを含むカレンダスケジュールデータを取得するカレンダスケジュール取得手段と、前記予定の内容に応じた制御対象機器と、前記制御対象機器に対する制御内容と、前記制御対象機器に対する制御が実行されるタイミングとを含む連動制御規則データが格納される連動制御規則記憶手段と、前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、前記機器スケジュール設定手段により設定された制御内容に従って、前記設定された制御対象機器を前記設定された制御時刻に動作させる機器制御手段とを備える。前記予定の内容は、予定のタイトルを示す情報又は予定の種類を示す情報を含む。
【０００７】
上記目的を達成するため、本発明の第２の観点に係る電気機器管理装置は、予定の内容と、前記予定が実施される時期を示す情報とを含むカレンダスケジュールデータを取得するカレンダスケジュール取得手段と、前記予定の内容に応じた一括設定の種類と、前記一括設定による制御のタイミングとを含む連動定義データ、及び、前記一括設定の種類と、前記一括設定の対象となる制御対象機器と、前記制御対象機器に対する制御内容とを含む一括設定定義データを有する連動制御規則データが格納される連動制御規則記憶手段と、前記予定の内容をキーとして前記カレンダスケジュールデータと前記連動定義データとを関連付けるとともに前記一括設定の種類をキーとして前記連動定義データと前記一括設定定義データとを関連付け、前記予定の内容に応じた前記制御対象機器及び前記制御内容を設定し、前記カレンダスケジュールデータに含まれる前記時期を示す情報と前記連動定義データに含まれる前記タイミングとに応じて制御時刻を設定する機器スケジュール設定手段と、前記機器スケジュール設定手段により設定された制御内容に従って、前記設定された制御対象機器を前記設定された制御時刻に動作させる機器制御手段とを備える。
【０００８】
上記目的を達成するため、本発明の第３の観点に係る電気機器管理装置は、予定の内容と、前記予定が実施される時期を示す情報とを含むカレンダスケジュールデータを取得するカレンダスケジュール取得手段と、前記予定の内容に応じた制御対象機器と、前記制御対象機器に対する制御内容と、前記制御対象機器に対する制御が実行されるタイミングとを含む連動制御規則データが格納される連動制御規則記憶手段と、前記予定の内容をキーとして前記カレンダスケジュールデータと前記連動制御規則データとを関連付け、前記予定の内容に応じた前記制御対象機器及び前記制御内容を設定するとともに、前記カレンダスケジュールデータに含まれる前記時期を示す情報と前記連動制御規則データに含まれる前記タイミングとに応じて制御時刻を設定する機器スケジュール設定手段と、前記機器スケジュール設定手段により設定された制御内容に従って、前記設定された制御対象機器を前記設定された制御時刻に動作させる機器制御手段と、前記機器スケジュール設定手段により設定された前記制御対象機器に前記制御内容の制御をする場合に、予め定められたタイミングで通知する通知手段とを備えることを特徴とする。
【発明の効果】
【０００９】
本発明によれば、ユーザが意識的に電気機器を操作しなくても、ユーザが所望する快適性を維持しつつエネルギの消費量を抑制することが可能になる。
【図面の簡単な説明】
【００１０】
【図１】本発明の実施の形態１に係る電気機器管理システムの構成を示す図である。
【図２】実施の形態１に係る電気機器管理装置の構成を示す図である。
【図３】機器スケジュールデータの一例を示す図である。
【図４】電気機器管理装置が保持するカレンダスケジュールデータの一例を示す図である。
【図５】連動定義データの一例を示す図である。
【図６】一括設定定義データの一例を示す図である。
【図７】区画データの一例を示す図である。
【図８】実施の形態１に係るカレンダスケジュール登録処理の流れを示すフローチャートである。
【図９】実施の形態１に係る連動制御処理の流れを示すフローチャートである。
【図１０】実施の形態１に係る連動制御処理の流れを示すフローチャートである。
【図１１】表示部に表示されるカレンダの一例を示す図である。
【図１２】本発明の実施の形態２に係る電気機器管理システムの構成を示す図である。
【図１３】実施の形態２に係るサーバ装置が保持するカレンダスケジュールデータの一例を示す図である。
【図１４】実施の形態２に係る管理データの一例を示す図である。
【図１５】実施の形態２に係る電気機器管理装置の構成を示す図である。
【図１６】本発明の実施の形態３に係る電気機器管理システムの構成を示す図である。
【図１７】実施の形態３に係るサーバ装置が保持するカレンダスケジュールデータの一例を示す図である。
【図１８】実施の形態３に係る管理データの一例を示す図である。
【図１９】実施の形態３に係る電気機器管理装置の構成を示す図である。
【発明を実施するための形態】
【００１１】
以下、本発明の実施形態について、図面を参照しつつ説明する。全図を通じて同一の要素には同一の符号を付す。
【００１２】
実施の形態１．
本発明の実施の形態１に係る電気機器管理システム１００は、図１に示すように、住宅Ａの各部屋（寝室、書斎、子供部屋、リビング、キッチンなど）に設置される電気機器１０１（照明機器１０１ａ＿１〜５、空調機１０１ｂ＿１〜４、ＩＨＣＨ１０１（ＩＨクッキングヒータ）１０１ｃ＿５、冷蔵庫１０１ｄ＿５、給湯システム１０１ｅ）と、電気機器管理装置１０２とから構成される。電気機器管理装置１０２は、有線、無線又はこれらを組み合わせて構成される宅内ネットワークを介して電気機器１０１と通信し、これによって、管理対象領域としての住宅Ａに設置された電気機器１０１を管理する。また、電気機器管理装置１０２は、端末装置１０３と有線、無線又はこれらを組み合わせて通信接続されており、電気機器１０１の管理に関わる指示、情報などを端末装置１０３との間で送受信する。
【００１３】
端末装置１０３は、例えば多機能携帯電話（いわゆる、スマートフォン）、タブレット型のコンピュータ、パーソナルピュータである。端末装置１０３には、例えば、電気機器１０１の管理に関わる指示、情報などを作成し、電気機器管理装置１０２へ送信するための機能を実現するためのソフトウェアプログラム（プログラム）がインストールされて実行されるとよい。
【００１４】
電気機器管理装置１０２は、住宅Ａの家族の構成員（ユーザ）により予定が入力されると、その予定に連動して電気機器１０１の動作を制御する。本実施の形態では、住宅Ａの家族が、父、母、子で構成される例により説明する。なお、住宅Ａでペットを飼っており、ペットが電気機器管理装置１０２が保持するデータに登録されていれば、ペットをユーザに含めてもよい。
【００１５】
記憶部１０４は、例えばフラッシュメモリ、ＨＤＤ(Hard Disc Drive)などから構成され、各種データを記憶する。
【００１６】
機器スケジュールデータ１０５は、電気機器管理装置１０２による電気機器１０１の動作の制御に関係するスケジュールを含むデータである。図３に示すように、機器スケジュールＩＤ（Identification Data）と、制御対象機器と、制御内容と、制御時刻と、設定方法とが関連付けられている。
【００１７】
機器スケジュールＩＤは、機器スケジュールデータ１０５の各々を特定するための情報である。制御対象機器は、電気機器管理装置１０２が動作を制御する対象となる電気機器１０１を特定するための情報である。制御内容は、関連付けられた制御対象機器に対する制御の内容を示す情報である。制御時刻は、関連付けられた制御対象機器及び制御内容に応じた制御を行う日時を示す情報である。設定方法は、機器スケジュールデータ１０５の各々が、入力部１１２へのユーザ入力に基づいて手動で個別に設定されたのか、家族により入力された予定に連動して自動で設定されたのかを示す情報である。
【００１８】
予定に連動して設定された機器スケジュールデータ１０５では、設定方法は、連動した予定と一括設定の種類とを示す。これにより、連動した予定が変更又は削除された場合に、それと連動して機器スケジュールデータ１０５を変更又は削除することができる。
【００１９】
ここで、一括設定とは、予定に連動して実行される制御が複数ある場合に、それらの制御の一部又は全部からなる制御の集まりである。一括設定の種類には、例えば、外出（宅内から外へ出る時）、帰宅（外から宅内に戻る時）など、ユーザの動作、出来事などと時間的な関連性をもって（すなわち、例えばユーザの動作と同時、ユーザの動作の２時間前、ユーザの動作が行われる日の所定時刻など）、実行される制御をまとめたものなどがある。
【００２０】
なお、本実施の形態では、例えば、同図の機器スケジュールＩＤが１１、１２などの機器スケジュールデータ１０５のように、機器スケジュールデータ１０５は、電気機器管理装置１０２が特定の制御を実行することをユーザへ知らせるためのメールを送信するスケジュールも含む。
【００２１】
カレンダスケジュールデータ１０６は、家族の予定を示すデータと、家族が特定した一括設定を電気機器管理装置１０２が実行する予定を示すデータとを含んでおり、図４に示すように、カレンダＩＤと、主体と、予定の種類と、予定タイトルと、始期及び終期からなる時期とを含む。
【００２２】
カレンダＩＤは、カレンダスケジュールデータ１０６の各々を特定するための情報である。
【００２３】
主体は、予定に関係する主体を示す情報である。主体が家族の構成員であるカレンダスケジュールデータ１０６は家族の予定を示すデータであり、主体が装置であるカレンダスケジュールデータ１０６は電気機器管理装置１０２の予定である。
【００２４】
予定の種類は、家族の予定の種類を示す情報であって、予め定められるものである。
予定タイトルは、予定に付与される名称を示す情報、予め定められたものであってもよく、適宜作成されるものであってもよい。
【００２５】
なお、本実施の形態の予定タイトルは、予定の内容の一例である。予定の内容は、カレンダスケジュールデータ１０６と後述する連動定義データ１０８とを関連付けることができる情報であればよく、例えば予定の種類が予定の内容に採用されもよい。
【００２６】
主体、予定の種類及び予定タイトルは、予定タイトルが定まると、主体と予定の種類が定まる関係にある。すなわち、新たな予定タイトルが作成されると、それに主体と予定の種類が関連付けられる。これらの関係は、図示しないデータとして記憶部１０４に格納されるとよい。
【００２７】
始期及び終期は、それぞれ、開始予定時刻及び終了予定時刻を示す情報である。
【００２８】
連動制御規則データ１０７は、ユーザの予定がそれに連動して電気機器１０１の動作を制御する連動制御の対象である場合に、その予定に応じた連動制御の内容を示すデータである。予定タイトルに応じた制御対象機器と、制御対象機器に対する制御内容と、予定の始期又は終期を基準とする相対的な時間で表されるタイミングとを含むデータである。
【００２９】
本実施の形態では、連動制御規則データ１０７は、図２に示すように、連動定義データ１０８と、一括設定定義データ１０９と、区画データ１１０とから構成される。
【００３０】
連動定義データ１０８は、一括設定の種類及びタイミングを予定タイトルに関連付けるデータであって、図５に示すように、予定タイトルと、主体と、一括設定の種類と、タイミングと、通知と、表示とを含む。
【００３１】
予定タイトルは、カレンダスケジュールデータ１０６に含まれる予定タイトルと同様の情報であり、主体は、上述のように、予定タイトルから定まる。一括設定の種類及びタイミングは、それぞれ、上述の内容を示す情報である。
【００３２】
通知は、予定タイトルに関連付けられる一括設定の種類ごとに、その一括設定に含まれる制御を実行する旨の通知をユーザへするか否か、通知をする場合には、いつ誰に通知するかを定める情報である。通知は例えばユーザの端末装置１０３へメールを送信することで行われ、例えば１０分前（全員）は、それが連動定義データ１０８にて関連付けられた種類の一括設定に含まれる制御を実行するタイミングの１０分前に、連動定義データ１０８にて関連付けられた主体の全員へ送信することを表す。
【００３３】
表示は、予定タイトルに関連付けられる一括設定の種類ごとに、その一括設定に含まれる制御を実行される旨を表示部１１１に、例えばその制御が実行される前に表示するか否かを定める情報である。
【００３４】
一括設定定義データ１０９は、一括設定の内容を定義するデータであって、図６に示すように、一括設定の種類と、その一括設定の種類において一括設定の対象となる区画、制御対象機器、制御内容及び制御条件とを含む。一括設定の種類は、上述の内容を示す情報である。区画は、電気機器管理装置１０２の制御対象領域である住宅Ａを分割した領域である部屋を特定するための情報である。制御対象機器は、一括設定の対象となる電気機器１０１であって、一括設定定義データ１０９において関連付けられた区画に設置されているものである。制御内容は、関連付けられた電気機器１０１に実施する制御の内容を示す情報である。
【００３５】
制御条件は、関連付けられた制御対象機器に対する制御を実際に実施するか否かを判断するための条件である。制御条件には、区画制御条件がある。区画制御条件とは、区画を利用するユーザと、予定に関連するユーザとの関係により定められる制御条件である。
【００３６】
例えば、同図に示す「全員」と「１人以上」は、区画制御条件の例である。「全員」は、関連付けられた区画を利用するユーザのすべてが住宅Ａに不在である場合に、それに関連付けられた制御対象機器の動作を制御内容に従って制御することを示す。「１人以上」は、関連付けられた区画を利用するユーザの少なくとも1人が在宅である場合に、それに関連付けられた制御対象機器の動作を制御内容に従って制御することを示す。
【００３７】
区画データ１１０は、部屋を利用するユーザを示すデータであって、図７に示すように、部屋とユーザとを関連付けるものである。同図に示す区画データ１１０は、例えばリビングを利用するユーザが、父と母と子とであることなどを示す。
【００３８】
表示部１１１は、例えば液晶ディスプレイなどから構成され、画像、文字など表示する。表示部１１１は、図２に示すように、カレンダスケジュールデータ１０６を参照して、例えば家族の予定を関連付けたカレンダを表示する。カレンダの表示単位は、望ましくは、ユーザの指示などに応じて日・週・月などと切り替えられる。
【００３９】
入力部１１２は、例えばタッチパネル、ボタンなどから構成され、家族による予定の入力などを受け付ける。
【００４０】
カレンダスケジュール登録部１１３は、入力部１１２へのユーザ入力に基づいて、カレンダスケジュールデータ１０６を作成して記憶部１０４に格納する。
【００４１】
カレンダスケジュール取得部１１４は、記憶部１０４に格納されたカレンダスケジュールデータ１０６を監視する。そして、カレンダスケジュール取得部１１４は、カレンダスケジュール登録部１１３によりカレンダスケジュールデータ１０６が変更された場合に、そのカレンダスケジュールデータ１０６を記憶部１０４から取得する。なお、カレンダスケジュール取得部１１４は、カレンダスケジュール登録部１１３がカレンダスケジュールデータ１０６を取得した場合に、そのカレンダスケジュールデータ１０６を、記憶部１０４を介さずにカレンダスケジュール登録部１１３から直接取得してもよい。
【００４２】
連動制御判断部１１５は、ユーザの予定が入力された場合に、その予定が連動制御の対象であるか否かを判断する。詳細には、連動制御判断部１１５は、記憶部１０４に登録されたカレンダスケジュールデータ１０６に含まれる予定タイトルが、連動定義データ１０８に含まれるか否かに基づいて、そのカレンダスケジュールデータ１０６に対応するユーザの予定が連動制御の対象であるか否かを判断する。
【００４３】
機器スケジュール設定部１１６は、ユーザにより入力された予定が連動制御の対象である場合に、その予定の予定タイトルをキーとしてカレンダスケジュールデータ１０６と連動制御規則データとを関連付ける。そして、機器スケジュール設定部１１６は、カレンダスケジュールデータ１０６に含まれる始期又は終期を基準として連動制御規則データ１０７（連動定義データ１０８）のタイミングに応じた時刻を制御時刻とする。これによって、機器スケジュール設定部１１６は、入力された予定に応じた、制御対象機器、制御内容、及び制御時刻を設定する。
【００４４】
詳細には、機器スケジュール設定部１１６は、予定タイトル及びユーザをキーとしてカレンダスケジュールデータ１０６と連動定義データ１０８とを関連付ける。機器スケジュール設定部１１６は、一括設定の種類をキーとして連動定義データ１０８と一括設定定義データ１０９とを関連付ける。機器スケジュール設定部１１６は、区画をキーとして一括設定定義データ１０９と区画データ１１０とを関連付ける。機器スケジュール設定部１１６は、関連付けられた区画データ１１０に含まれるユーザとカレンダスケジュールデータ１０６に含まれるユーザとが、関連付けられた一括設定定義データ１０９に含まれる制御条件を満たすか否かを判断する。これによって、機器スケジュール設定部１１６は、入力された予定に応じた、制御対象機器、制御内容、及び制御時刻を設定する。
【００４５】
より詳細には、機器スケジュール設定部１１６は、予定タイトル及びユーザをキーとしてカレンダスケジュールデータ１０６と連動定義データ１０８とを関連付ける。機器スケジュール設定部１１６は、一括設定の種類をキーとして連動定義データ１０８と一括設定定義データ１０９とを関連付ける。機器スケジュール設定部１１６は、区画をキーとして一括設定定義データ１０９と区画データとを関連付ける。機器スケジュール設定部１１６は、関連付けられた区画データ１１０に含まれるユーザとカレンダスケジュールデータ１０６に含まれるユーザとが、関連付けられた一括設定定義データ１０９に含まれる制御条件を満たすか否かを判断する。これによって、機器スケジュール設定部１１６は、入力された予定に応じた、制御対象機器、制御内容、及び制御時刻を設定する。
【００４６】
機器スケジュール登録部１１７は、機器スケジュール設定部１１６により設定された制御対象機器、制御内容、及び制御時刻に、機器スケジュールＩＤと設定方法とを関連付けた機器スケジュールデータ１０５を記憶部１０４に格納する。機器スケジュールＩＤは、例えば連番であればよく、記憶部１０４に格納されている機器スケジュールデータ１０５の中で最大の機器スケジュールＩＤに１を加えたものが機器スケジュールＩＤに採用されるとよい。設定方法には、機器スケジュール設定部１１６が制御対象機器、制御内容、及び制御時刻を設定する元となった、カレンダスケジュールデータ１０６のカレンダＩＤと一括設定の種類とが含められる。
【００４７】
機器スケジュール登録部１１７は、入力部１１２へのユーザ入力に基づく機器スケジュールデータ１０５を取得すると、その機器スケジュールデータ１０５を記憶部１０４に格納する。
【００４８】
機器制御部１１８は、例えば宅内ネットワークを介して制御信号を送信することによって、住宅Ａに設置される電気機器１０１の各々の動作を制御する。詳細には、機器制御部１１８は、機器スケジュール設定部１１６により設定された制御内容に従って、設定された制御対象機器を設定された制御時刻に動作させる。
【００４９】
制御カレンダ作成部１１９は、機器スケジュール設定部１１６が制御対象機器、制御内容、及び制御時刻を設定する元となった一括設定の種類に、連動定義データ１０８において、表示することが関連付けられている場合に、その一括設定の種類と、時刻と、カレンダＩＤと、主体とを関連付けたカレンダスケジュールデータ１０６を作成し、記憶部１０４に格納する。この時刻には、例えば、一括設定に含まれる制御を実行する時刻、その時刻を決定するために採用された基準時（すなわち、カレンダスケジュールデータ１０６に含まれる始期又は終期）などが採用されるとよい。カレンダＩＤは、例えば連番であればよく、記憶部１０４に格納されているカレンダスケジュールデータ１０６の中で最大のカレンダＩＤに１を加えたものがカレンダＩＤに採用されるとよい。主体には、電気機器管理装置１０２の予定であることを示す予め定めた情報、例えば「装置」が設定されるよい。図４において、カレンダＩＤが２，３，５であるカレンダスケジュールデータ１０６は、制御カレンダ作成部１１９により作成されたものの例である。
【００５０】
通知スケジュール作成部１２０は、機器スケジュール設定部１１６が制御対象機器、制御内容、及び制御時刻を設定する元となった一括設定の種類に、連動定義データ１０８において、通知することが関連付けられている場合に、連動定義データ１０８が示す通知の内容に従って、その連動定義データ１０８の一括設定の種類に含まれる制御が実行されることをユーザへ通知するための、機器スケジュールデータ１０５を作成して記憶部１０４に格納する。図３において、機器スケジュールＩＤが１１、１２、２３である機器スケジュールデータ１０５は、通知スケジュール作成部１２０により作成されたものの例である。
【００５１】
例えば、図示しないメール送信部は、制御対象機器が「メール通知」である機器スケジュールデータ１０５の「制御時刻」が到来したことを検知すると、一括設定に含まれる制御が実行されることを知らせるためのメールを作成する。メール送信部は、作成したメールをユーザの端末装置１０３へ送信する。これにより、ユーザは、一括設定に含まれる制御が実行されることを知ることができる。そして、必要に応じて、ユーザは、予定の変更を示す情報、機器スケジュールデータ１０５の変更する指示などを、例えば端末装置１０３から電気機器管理装置１０２へ送信するとよい。
【００５２】
上述の各処理部１１３〜１２０は、例えばＲＯＭ（Read Only Memory）に予め格納されたソフトウェアプログラムを、ＲＡＭ（Random Access Memory）を作業領域として動作するプロセッサにより実現される。
【００５３】
これまで、本実施の形態に係る電気機器管理装置１０２の構成について説明した。ここから、電気機器管理装置１０２が実行する処理について説明する。
【００５４】
電気機器管理装置１０２は、例えばユーザが予定を入力する旨の指示を入力部１１２に受け付けると、図８に示すカレンダスケジュール登録処理を実行する。
【００５５】
入力部１１２は、予定の種類と主体、又は予定タイトルを受け付け（ステップＳ１０１）、予定の始期及び終期からなる時期を受け付けると（ステップＳ１０２）、予定の繰り返し設定がなされたか否かを判断する（ステップＳ１０３）。ここで繰り返し設定とは、ステップＳ１０１及びステップＳ１０２で受け付けた予定が繰り返されることを示すカレンダスケジュールデータ１０６を作成することの設定である。
【００５６】
繰り返し設定がなされていないと判断した場合（ステップＳ１０３；Ｎｏ）、入力部１１２は、ステップＳ１０１及びステップＳ１０２で受け付けた予定を示すカレンダスケジュールデータ１０６を作成する（ステップＳ１０４）。
【００５７】
繰り返し設定がなされたと判断した場合（ステップＳ１０３；Ｙｅｓ）、繰り替えしの種類が選択されたか否かを判断する（ステップＳ１０５）。ここで、繰り替えしの種類には、例えば入力した予定を毎日繰り返す、特定の曜日のみ繰り返す、平日のみ繰り返すなどがある。
【００５８】
繰り替えしの種類が選択されていないと判断した場合（ステップＳ１０５；Ｎｏ）、入力部１１２は、ステップＳ１０３を繰り返し実行する。繰り替えしの種類が選択されたと判断した場合（ステップＳ１０５；Ｙｅｓ）、ステップＳ１０１及びステップＳ１０２で受け付けた予定に基づいて、選択された繰り返しの種類に応じたカレンダスケジュールデータ１０６を作成する（ステップＳ１０６）。
【００５９】
入力部１１２は、登録確認画面を表示部１１１に表示させ、それに対してユーザから登録指示を受け付けたか否かを判断する（ステップＳ１０７）。
【００６０】
登録指示を受け付けていないと判断した場合（ステップＳ１０７；Ｎｏ）、予定の入力がキャンセルされたとみなして、入力部１１２は、カレンダスケジュール登録処理を終了する。登録指示を受け付けたと判断した場合（ステップＳ１０７；Ｙｅｓ）、入力部１１２は、作成したカレンダスケジュールデータ１０６をカレンダスケジュール登録部１１３に引き渡す。カレンダスケジュール登録部１１３は、入力部１１２から取得したカレンダスケジュールデータ１０６を記憶部１０４に格納し（ステップＳ１０８）、カレンダスケジュール登録処理を終了する。これにより、ユーザが入力した予定が、カレンダスケジュールデータ１０６として、記憶部１０４に格納される。
【００６１】
電気機器管理装置１０２は、例えばユーザが予定を入力すると、図９及び１０に示す連動制御処理を実行する。例えば、カレンダスケジュール取得部１１４が、記憶部１０４のカレンダスケジュールデータ１０６を監視し、カレンダスケジュールデータ１０６の更新を検出した場合に、ユーザが予定を入力したと判定される。
【００６２】
連動制御判断部１１５は、ユーザが入力した予定に対応するカレンダスケジュールデータ１０６をカレンダスケジュール取得部１１４から取得すると、そのカレンダスケジュールデータ１０６と同じ予定タイトルを含む連動定義データ１０８を記憶部１０４から抽出する（ステップＳ１１１）。連動制御判断部１１５は、ステップＳ１１１にて抽出された連動定義データ１０８の有無に応じて、入力された予定に連動制御の対象があるか否かを判断する（ステップＳ１１２）。
【００６３】
ステップＳ１１１にて抽出された連動定義データ１０８がない場合、連動制御判断部１１５は、連動制御の対象がないと判断し（ステップＳ１１２；Ｎｏ）、連動制御処理を終了する。ステップＳ１１１にて抽出された連動定義データ１０８がある場合、連動制御判断部１１５は、連動制御の対象があると判断し（ステップＳ１１２；Ｙｅｓ）、抽出された連動定義データ１０８を機器スケジュール設定部１１６に引き渡す。
【００６４】
機器スケジュール設定部１１６は、連動制御判断部１１５から取得した連動定義データ１０８と同じ一括設定の種類を含む一括設定定義データ１０９を記憶部１０４から抽出する（ステップＳ１１３）。抽出したすべての一括設定定義データ１０９について、一括設定定義データ１０９は、ステップＳ１１５〜ステップＳ１２７を繰り返す（ループＡ；ステップＳ１１４）。
【００６５】
機器スケジュール設定部１１６は、処理対象の一括設定定義データ１０９が制御条件を含むか否かを判断する（ステップＳ１１５）。制御条件を含むと判断した場合（ステップＳ１１５；Ｙｅｓ）、機器スケジュール設定部１１６は、その制御条件が区画制御条件であるか否かを判断する（ステップＳ１１６）。
【００６６】
制御条件が区画制御条件であると判断した場合（ステップＳ１１６；Ｙｅｓ）、機器スケジュール設定部１１６は、処理対象の一括設定定義データ１０９に含まれる区画を利用するすべてのユーザを、記憶部１０４に格納されている区画データ１１０を参照することによって特定する（ステップＳ１１７）。制御条件が区画制御条件でないと判断した場合（ステップＳ１１６；Ｎｏ）、機器スケジュール設定部１１６は、その制御条件を満たしているかの判断に必要な情報を取得する（ステップＳ１１８）。例えば、図６に示す一括設定定義データ１０９の例で、「一括設定の種類」が「来客」の場合、機器スケジュール設定部１１６は、製氷用のタンクの水量及び製氷室の氷量を示す情報を冷蔵庫１０１ｄ＿５から取得する。
【００６７】
機器スケジュール設定部１１６は、制御条件を満たすか否かを判断する（ステップＳ１１９）。例えば、ステップＳ１１７で特定したユーザとユーザが入力したカレンダスケジュールデータ１０６に含まれる主体とを対比することによって、区画制御条件を満たすか否かが判断される。また例えば、ステップＳ１１８で取得した情報に基づいて、制御条件を満たすか否かが判断される。
【００６８】
制御条件を満たさないと判断した場合（ステップＳ１１９；Ｎｏ）、機器スケジュール設定部１１６は、現在の処理対象の一括設定定義データ１０９についてループＡ（ステップＳ１１４）の処理を終了し、未処理の一括設定定義データ１０９がある場合には、その一括設定定義データ１０９についてループＡ（ステップＳ１１４）の処理が実行される。未処理の一括設定定義データ１０９がない場合、機器スケジュール設定部１１６は、連動制御処理を終了する。
【００６９】
制御条件を満たすと判断した場合（ステップＳ１１９；Ｙｅｓ）、機器スケジュール設定部１１６は、現在の処理対象の一括設定定義データ１０９に含まれる制御対象機器を、制御対象機器として設定する（ステップＳ１２０）。機器スケジュール設定部１１６は、現在の処理対象の一括設定定義データ１０９に含まれる制御内容を、制御内容として設定する（ステップＳ１２１）。
【００７０】
機器スケジュール設定部１１６は、ステップＳ１１１にて抽出された連動定義データ１０８を参照し、現在の処理対象の一括設定定義データ１０９と同じ一括設定の種類に関連付けられたタイミングを抽出する。機器スケジュール設定部１１６は、ユーザが入力した予定に対応するカレンダスケジュールデータ１０６、すなわち、現在の処理対象の一括設定定義データ１０９の元となったカレンダスケジュールデータ１０６に含まれる始期及び終期を抽出する。機器スケジュール設定部１１６は、抽出したタイミングと始期及び終期に基づいて、ステップＳ１２０及びステップＳ１２１にて設定した制御内容に応じた制御対象機器に対する制御を実施する日時を算出する。機器スケジュール設定部１１６は、算出した日時を制御時刻として設定する（ステップＳ１２２）。
【００７１】
機器スケジュール設定部１１６は、ステップＳ１２０〜ステップＳ１２２にて設定した、制御対象機器、制御内容及び制御時刻を示す情報を機器スケジュール登録部１１７へ引き渡す。機器スケジュール登録部１１７は、機器スケジュール設定部１１６から取得した制御対象機器、制御内容及び制御時刻に、機器スケジュールＩＤと設定方法とを関連付ける。機器スケジュール登録部１１７は、制御対象機器、制御内容、制御時刻、機器スケジュールＩＤ及び設定方法を関連付けた機器スケジュールデータ１０５を記憶部１０４に格納する（ステップＳ１２３）。
【００７２】
通知スケジュール作成部１２０は、ステップＳ１１１にて抽出された連動定義データ１０８を参照し、現在の処理対象の一括設定定義データ１０９と同じ一括設定の種類に関連付けられている通知の内容を参照する。通知スケジュール作成部１２０は、参照した通知の内容に基づいて、通知が必要か否かを判断する（ステップＳ１２４）。
【００７３】
通知が必要であると判断した場合（ステップＳ１２４；Ｙｅｓ）、通知スケジュール作成部１２０は、その通知に連動定義データ１０８において関連付けられているタイミングと、その通知の内容とに基づいて、通知を送信する時刻を算出する。通知スケジュール作成部１２０は、算出した時刻と、その通知に連動定義データ１０８において関連付けられている一括設定の種類に含まれる制御が実行されることとを含む通知スケジュールを作成する（ステップＳ１２５）。通知スケジュール作成部１２０は、作成した通知スケジュールに、機器スケジュールＩＤと、制御対象機器「メール通知」とを関連付けた機器スケジュールデータ１０５を作成して、記憶部１０４に格納する。ここでも、機器スケジュールＩＤは、上述のように連番で付されるとよい。
【００７４】
通知が必要でないと判断した場合（ステップＳ１２４；Ｎｏ）、又は、ステップＳ１２５の後に、制御カレンダ作成部１１９は、ステップＳ１１１にて抽出された連動定義データ１０８を参照し、現在の処理対象の一括設定定義データ１０９と同じ一括設定の種類に関連付けられている表示の内容を参照する。通知スケジュール作成部１２０は、参照した表示の内容に基づいて、表示が必要か否かを判断する（ステップＳ１２６）。
【００７５】
表示が必要であると判断した場合（ステップＳ１２６；Ｙｅｓ）、制御カレンダ作成部１１９は、その表示に連動定義データ１０８において関連付けられている一括設定の種類と、時刻とを含む制御カレンダを作成する（ステップＳ１２７）。この時刻には、例えば、一括設定の種類に含まれる制御が実行される時刻である。この場合、制御カレンダ作成部１１９は、一括設定の種類に連動定義データ１０８において関連付けられているタイミングと、現在の処理対象の一括設定定義データ１０９の元となったカレンダスケジュールデータ１０６に含まれる始期及び終期とに基づいて、時刻を算出する。制御カレンダ作成部１１９は、作成した制御カレンダに、カレンダＩＤと、主体「装置」とを関連付けたカレンダスケジュールデータ１０６を作成して、記憶部１０４に格納する。ここでも、カレンダＩＤは、上述のように連番で付されるとよい。
【００７６】
表示が必要でないと判断した場合（ステップＳ１２６；Ｎｏ）、又は、ステップＳ１２７の後に、制御カレンダ作成部１１９は、現在の処理対象の一括設定定義データ１０９についてループＡ（ステップＳ１１４）の処理を終了し、未処理の一括設定定義データ１０９がある場合には、その一括設定定義データ１０９についてループＡ（ステップＳ１１４）の処理が実行される。未処理の一括設定定義データ１０９がない場合、制御カレンダ作成部１１９は、連動制御処理を終了する。
【００７７】
本実施の形態に係る電気機器管理装置１０２が実行する処理について説明した。例えば、カレンダスケジュール登録処理を実行することによって、図４に示すカレンダＩＤが１、４、６〜１０であるカレンダスケジュールデータ１０６が登録される。これらのカレンダスケジュールデータ１０６の各々が入力されると、電気機器管理装置１０２は、連動制御処理を実行する。これにより、図３に示す機器スケジュールデータ１０５が記憶部１０４に格納される。また、図４に示すカレンダＩＤが２、３、５であるカレンダスケジュールデータ１０６が登録される。そして、表示部１１１は、図４に示すカレンダスケジュールデータ１０６を参照して、例えば図１１に示す画像を表示する。これにより、ユーザは、予め設定した一括設定に含まれる制御がいつ実行されるかを容易に知ることができる。予定が表示されている領域を押下することにより、具体的な制御対象装置など詳細な情報が表示されるとよい。
【００７８】
なお、例えばＩＨＣＨ１０１ｃ＿５は、電源がＯＦＦ（切）であると待機電力が０である。このような電気機器１０１では、ユーザが電源を切って出かけた場合、電気機器管理装置１０２がユーザの外出に応じてＯＦＦの制御信号を送信しても、その信号を受信することができないものがある。この場合、電源が切られているので安全かつ無駄な電力の消費もないようにも思えるが、家に独りで残っている子供が誤ってＩＨＣＨ１０１ｃ＿５の電源を入れると、ＩＨＣＨ１０１ｃ＿５が動作を開始してしまう。
【００７９】
そのため、ＩＨＣＨ１０１ｃ＿５などには、例えば電池で動作する通信アダプタが搭載されるとよい。そして、ＩＨＣＨ１０１ｃ＿５の電源がＯＦＦである場合、通信アダプタが、電気機器管理装置１０２からの制御信号をバッファリングし、ＩＨＣＨ１０１ｃ＿５の電源がＯＮ（入）に切り替えられて動作を開始する前に、バッファリングしている制御信号をＩＨＣＨ１０１ｃ＿５へ送信するとよい。或いは、電気機器管理装置１０２が制御信号をバッファリングし、ＩＨＣＨ１０１ｃ＿５が動作を開始したことを検出すると、バッファリングしている制御信号をＩＨＣＨ１０１ｃ＿５へ送信してもよい。或いは、ＩＨＣＨ１０１ｃ＿５の動作を開始させる際には、常に通信アダプタを経由して指示を与えるようにしてもよい。これらの構成によれば、子供が誤ってＩＨＣＨ１０１ｃ＿５の電源を入れた場合であっても、電気機器管理装置１０２からの制御信号によりその動作を制御することができる。
【００８０】
なお、入力部１１２からの入力に基づいて作成された機器スケジュールデータ１０５と、予定の入力に応じて作成された機器スケジュールデータ１０５とで、両立し得ない関係が生じた場合、例えば後に作成されたものを優先的に適用し、先に作成されたものを破棄してもよい。
【００８１】
なお、電気機器１０１を操作するためのリモートコントローラが、本発明に係る電気機器管理装置として、本実施の形態に係る電気機器管理装置１０２が備える機能を備え、また、本実施の形態に係る電気機器管理装置１０２が実行する処理を行ってもよい。この場合、リモートコントローラが、上述したように、ユーザの予定に従って機器スケジュールデータ１０５を作成して制御する。リモートコントローラの制御対象は、住宅Ａに設置される電気機器１０１のうちの１台（例えば、空調機１０１ｂ＿４）を主たる制御対象としつつ、他の電気機器１０１の一部（例えば、空調機１０１ｂ＿３、照明機器１０１ａ＿４、１０１ａ＿５、冷蔵庫１０１ｄ＿５など）又は全部であってもよい。また、リモートコントローラの制御対象は、住宅Ａに設置される電気機器１０１のうちの１台（例えば、空調機１０１ｂ＿４）のみであってもよく、この場合の機器スケジュールデータ１０５は、その１台（例えば、空調機１０１ｂ＿４）のみに関する情報を含めばよい。
【００８２】
なお、電気機器１０１自体（例えば、空調機１０１ｂ＿４）が、本発明に係る電気機器として、本実施の形態に係る電気機器管理装置１０２が備える機能を備え、本実施の形態に係る電気機器管理装置１０２が実行する処理を行ってもよい。この場合、電気機器１０１自体（例えば、空調機１０１ｂ＿４）が、上述したように、ユーザの予定に従って機器スケジュールデータ１０５を作成して制御する。この電気機器１０１（例えば、空調機１０１ｂ＿４）が、他の電気機器１０１の一部（例えば、空調機１０１ｂ＿３、照明機器１０１ａ＿４、１０１ａ＿５、冷蔵庫１０１ｄ＿５など）又は全部を制御する機能を備えてもよい。
【００８３】
なお、端末装置１０３が、本発明に係る端末装置として、本実施の形態に係る電気機器管理装置１０２が備える機能を備え、また、本実施の形態に係る電気機器管理装置１０２が実行する処理を行ってもよい。詳細には、端末装置１０３は、インストールされたプログラムを実行することで、本実施の形態に係る電気機器管理装置１０２が備える機能を実現し、また、本実施の形態に係る電気機器管理装置１０２が実行する処理を行うとよい。
【００８４】
この場合、端末装置１０３は、電気機器１０１の各々と、宅内ネットワークを介して通信してもよく、直接に通信してもよい。さらに、端末装置１０３は、インターネットなどの外部ネットワークを介して、電気機器１０１の各々と通信してもよい。電気機器１０１の各々は、直接に外部ネットワークに接続されてもよく、宅内ネットワークを介して接続されてもよい。
【００８５】
本実施の形態によれば、家族の誰かが予定を入力すれば、それに応じて機器スケジュールデータ１０５が作成され、機器スケジュールデータ１０５に従って電気機器１０１の動作が自動的に制御される。これにより、ユーザが、快適性と省エネルギとを意識して電気機器１０１を操作しなくても、電気機器１０１を適切かつ確実に動作させることができる。したがって、ユーザが意識的に電気機器１０１を操作しなくても、ユーザが所望する快適性を維持しつつエネルギの消費量を抑制することが可能になる。
【００８６】
連動制御規則データ１０７が一括設定定義データ１０９を含む。これにより、ユーザの動作、出来事などと時間的な関連性をもって実行される制御をまとめて管理し、適切に電気機器１０１を動作させることができる。したがって、ユーザが所望する快適性を維持しつつエネルギの消費量を抑制するための連動制御規則データ１０７の管理や設定を容易にすることが可能になる。
【００８７】
一括設定定義データ１０９は制御条件を含むので、制御対象機器の各々について、一括設定の下で実際にその動作を制御するか否かを、きめ細かに設定することができる。これにより、ユーザの複雑な要望に適切に応えて、ユーザが所望する快適性を維持しつつエネルギの消費量を抑制することが可能になる。
【００８８】
特に、制御条件に区画制御条件を含めることにより、区画の利用者の在・不在に応じて、区画に設置されている電気機器１０１の動作を適切に制御することができる。例えば、父が出かけている場合、父だけが利用する書斎の照明機器１０１ａ＿２や空調機１０１ｂ＿２の消し忘れを、住宅Ａに残っている家族が確認しなくても、父の予定を入力しておくだけで、電気機器管理装置１０２により確実に照明機器１０１ａ＿２及び空調機１０１ｂ＿２の動作を停止させることができる。したがって、ユーザが意識的に電気機器１０１を操作しなくても、ユーザが所望する快適性を維持しつつエネルギの消費量を抑制することが可能になる。
【００８９】
実施の形態２．
本実施の形態に係る電気機器管理システム２００は、図１２に示すように、インターネットなどの外部ネットワーク２２１を介して通信するサーバ装置２２２と、電気機器管理装置２０２と、端末装置２０３とから構成される。
【００９０】
サーバ装置２２２は、電気機器管理装置２０２と同期しながら、カレンダスケジュールデータ２２３を管理する装置であって、同図に示すように、カレンダスケジュールデータ２２３と、管理データ２２４とが格納される記憶部２２５と、同期部２２６とを備える。
【００９１】
カレンダスケジュールデータ２２３は、実施の形態１に係るカレンダスケジュールデータ１０６に加えて、電気機器管理装置ＩＤを含む。電気機器管理装置ＩＤは、住居Ａの電気機器管理装置２０２を特定するための情報であり、電気機器管理装置２０２に固有の情報がサーバ装置２２２にて適宜付与されてよい。なお、外部ネットワーク２２１におけるアドレスなどが採用されてもよい。
【００９２】
管理データ２２４は、電気機器管理装置２０２及び端末装置２０３のそれぞれと通信するために電気機器管理装置２０２と端末装置２０３とを対応付けるデータであって、電気機器管理装置ＩＤと、端末装置ＩＤとを含む。電気機器管理装置ＩＤは、カレンダスケジュールデータ２２３のものと同様である。端末装置ＩＤは、端末装置２０３を特定するための情報である。
【００９３】
同期部２２６は、端末装置２０３から送信されるカレンダスケジュールデータ１０６を外部ネットワーク２２１を介して受信する。同期部２２６は、管理データ２２４を参照することによって、送信元の端末装置２０３の端末装置ＩＤを特定する。同期部２２６は、特定した端末装置ＩＤを、受信したカレンダスケジュールデータ１０６に含めたカレンダスケジュールデータ２２３を記憶部２２５に格納する。これにより、記憶部２２５のカレンダスケジュールデータ２２３が更新される。
【００９４】
また、同期部２２６は、管理データ２２４にて送信元の端末装置２０３の端末装置ＩＤに関連付けられた電気機器管理装置ＩＤを特定する。同期部２２６は、特定した電気機器管理装置ＩＤに対応する電気機器管理装置２０２へ、端末装置２０３から受信したカレンダスケジュールデータ１０６を転送する。
【００９５】
電気機器管理装置２０２は、同図に示すように、住宅Ａにて実施の形態１と同様に、電気機器１０１と通信可能に構成される。電気機器管理装置２０２は、実施の形態１に係るカレンダスケジュール登録部１１３及びカレンダスケジュール取得部１１４に代わる、カレンダスケジュール登録部２１３及びカレンダスケジュール取得部２１４を備えることを除いて、実施の形態１に係る電気機器管理装置１０２と概ね同じ構成を備える。
【００９６】
カレンダスケジュール登録部２１３は、実施の形態１に係るカレンダスケジュール登録部１１３と同様の機能を備える。加えて、カレンダスケジュール登録部２１３は、ユーザが予定を入力すると、外部ネットワーク２２１を介して、カレンダスケジュールデータ１０６をサーバ装置２２２へ送信する。
【００９７】
カレンダスケジュール取得部２１４は、実施の形態１に係るカレンダスケジュール取得部１１４が備える機能を備える、加えて、カレンダスケジュール取得部２１４は、外部ネットワーク２２１を介して、サーバ装置２２２からカレンダスケジュールデータ１０６を取得する。カレンダスケジュール取得部２１４は、カレンダスケジュールデータ１０６をサーバ装置２２２から取得すると、そのカレンダスケジュールデータ１０６をカレンダスケジュール登録部２１３へ引き渡す。これにより、カレンダスケジュール登録部２１３は、サーバ装置２２２から取得されたカレンダスケジュールデータ１０６が記憶部１０４に格納される。
【００９８】
端末装置２０３は、ユーザ入力に基づいて、外部ネットワーク２２１を介してサーバ２２２のカレンダスケジュールデータ２２３を更新する。これにより、ユーザは宅外からカレンダスケジュールデータ２２３を更新することができる。
【００９９】
本実施の形態によれば、ユーザは端末装置２０３を用いてサーバ装置２２２のカレンダスケジュールデータ２２３を更新することができる。サーバ装置２２２のカレンダスケジュールデータ２２３と、電気機器管理装置２０２のカレンダスケジュールデータ１０６とは同期する。これにより、ユーザは宅外からでも、電気機器管理装置２０２のカレンダスケジュールデータ１０６を更新することができ、ユーザが端末装置２０３に予定を入力するだけで、新しい予定に応じた適切な機器スケジュールデータ１０５で電気機器１０１を動作させることができる。したがって、ユーザが意識的に電気機器を操作しなくても、ユーザが所望する快適性を維持しつつエネルギの消費量を抑制することが可能になる。
【０１００】
実施の形態３．
本実施の形態に係る電気機器管理システム３００は、図１６に示すように、外部ネットワーク２２１を介して通信するサーバ装置３２２と、電気機器管理装置３０２ａ〜ｃと、端末装置２０３とから構成される。
【０１０１】
サーバ装置３２２は、実施の形態２に係るサーバ装置２２２と同様に、電気機器管理装置３０２と同期しながら、カレンダスケジュールデータ２２３を管理する、加えて、サーバ装置３２２は、カレンダスケジュールデータ３２３が示す内容の関係に応じて、電気機器管理装置３０２ａ〜ｃの各々が管理する電気機器１０１に予め定めた動作をさせる。
【０１０２】
サーバ装置３２２は、同図に示すように、カレンダスケジュールデータ３２３と、管理データ３２４とが格納される記憶部３２５と、機器管理部３２７とを備える。
【０１０３】
カレンダスケジュールデータ３２３は、図１７に示すように、実施の形態２に係るカレンダスケジュールデータ２２３と同様に構成される。カレンダスケジュールデータ３２３は、実施の形態２に係るカレンダスケジュールデータ２２３とは異なり、複数の住宅Ａ〜Ｃの予定を含む。電気機器管理装置ＩＤのＡ〜Ｃのそれぞれは、住宅Ａに設置される電気機器管理装置３０２ａ、住宅Ｂに設置される電気機器管理装置３０２ｂ、住宅Ｃに設置される電気機器管理装置３０２ｃのＩＤを示す。
【０１０４】
管理データ３２４は、電気機器管理装置３０２ａ〜ｃを管理するためのデータであって、電気機器管理装置３０２ａ〜ｃの各々の電気機器管理ＩＤに電気機器管理装置アドレスが対応付けられている。
【０１０５】
機器管理部３２７は、実施の形態２に係る同期部２２６と同様の機能を備える。加えて、機器管理部３２７は、カレンダスケジュールデータ３２３において、異なる電気機器管理装置ＩＤに関連付けられた情報の内容が予め定められた関係、すなわち、カレンダスケジュールデータ３２３によって示される、住宅Ａ〜Ｃのそれぞれのユーザごとの予定が予め定められた関係にある場合、外部ネットワーク２２１を介して、電気機器管理装置３０２ａ〜ｃの各々へ制御信号を送信する。この制御信号は、電気機器管理装置３０２ａ〜ｃの各々が管理する電気機器１０１に予め定められた動作をさせるための信号である。
【０１０６】
電気機器管理装置３０２ａ〜ｃは、それぞれ、住宅Ａ〜Ｃに設置され、住宅Ａ〜Ｃに設けられた電気機器１０１を管理する。電気機器管理装置３０２ａ〜ｃは、それぞれ、同様の構成を備えており、電気機器管理装置３０２ａの機能的な構成の例を図１９に示す。電気機器管理装置３０２ａは、同図に示すように、実施の形態２に係る機器制御部１１８に代わる、機器制御部３１８を備えることを除いて、実施の形態２に係る電気機器管理装置２０２と概ね同じ構成を備える。
【０１０７】
機器制御部３１８は、実施の形態２に係る機器制御部１１８と（すなわち、実施の形態１に係る機器制御部１１８とも）同様の機能を備える。加えて、機器制御部３１８は、サーバ装置３２２から外部ネットワーク２２１を介して、電気機器１０１の動作を制御するための制御信号を受信する。機器制御部３１８は、サーバ装置３２２からの制御信号を受信すると、その制御信号に従って、宅内の電気機器１０１を動作させる。
【０１０８】
本実施の形態によれば、カレンダスケジュールデータ３２３が示す内容の関係に応じて、電気機器管理装置３０２ａ〜ｃの各々に予め定めた動作をさせることができる。例えば、図１７に示す住居Ａ〜Ｃのカレンダスケジュールデータ３２３では、２０１３年７月１３日の夜が、住居Ａ〜Ｃのすべてで夜間留守である。住居Ａ〜Ｃが近隣の住居である場合には、例えば防犯のために、２０１３年７月１３日の夜には住居Ａ〜Ｃの照明機器を点灯させるとよい。これにより、ユーザが安心して外出することができ、ユーザの快適性が向上する。
【０１０９】
以上、本発明の実施の形態について説明したが、本発明は、各実施の形態に限定されるものではなく、各実施の形態及び変形例を適宜組み合わせた形態、それに種々の変更を加えた形態を含む。
【符号の説明】
【０１１０】
１００，２００，３００  電気機器管理システム、１０１  電気機器、１０２，２０２，３０２ａ〜ｃ  電気機器管理装置、１０３，２０３  端末装置、１０４，２０４，２２５，３２５  記憶部、１０５  機器スケジュールデータ、１０６，２２３，３２３  カレンダスケジュールデータ、１０７  連動制御規則データ、１０８  連動定義データ、１０９  一括設定定義データ、１１０  区画データ、１１１  表示部、１１２  入力部、１１３，２１３  カレンダスケジュール登録部、１１４，２１４  カレンダスケジュール取得部、１１５  連動制御判断部、１１６  機器スケジュール設定部、１１７  機器スケジュール登録部、１１８，３１８  機器制御部、１１９  制御カレンダ作成部、１２０  通知スケジュール作成部、２２１  外部ネットワーク、２２２，３２２  サーバ装置、２２４，３２４  管理データ、２２６  同期部、３２７  機器管理部。
【図１】
2014217047.tif 000003
【図２】
2014217047.tif 000004
【図３】
2014217047.tif 000005
【図４】
2014217047.tif 000006
【図５】
2014217047.tif 000007
【図６】
2014217047.tif 000008
【図７】
2014217047.tif 000009
【図８】
2014217047.tif 000010
【図９】
2014217047.tif 000011
【図１０】
2014217047.tif 000012
【図１１】
2014217047.tif 000013
【図１２】
2014217047.tif 000014
【図１３】
2014217047.tif 000015
【図１４】
2014217047.tif 000016
【図１５】
2014217047.tif 000017
【図１６】
2014217047.tif 000018
【図１７】
2014217047.tif 000019
【図１８】
2014217047.tif 000020
【図１９】
2014217047.tif 000021